【事件の表示】
　特願２０１７−５０３３２６「加熱調理器」拒絶査定不服審判事件〔２０１６年　９月　９日国際公開、ＷＯ２０１６／１３９８６７、請求項の数（８）〕について、次のとおり審決する。
【結　論】
　原査定を取り消す。
　本願の発明は、特許すべきものとする。
【理　由】
第１　手続の経緯
　本願は、２０１５年１２月１７日（優先権主張２０１５年３月５日、日本国）を国際出願日とする出願であって、平成３０年３月１３日付けで拒絶理由通知がされ、平成３０年５月１８日に意見書及び手続補正が提出され、平成３０年１０月２５日付けで拒絶査定（原査定）がされ、これに対し、平成３１年１月１８日に拒絶査定不服審判の請求がされると同時に手続補正書が提出されたものである。
第２　原査定の概要
　原査定（平成３０年１０月２５日付け拒絶査定）の概要は次のとおりである。
［理由］
　本願請求項１に係る発明は、以下の引用文献１及び２に基いて、本願請求項２〜９に係る発明は、以下の引用文献１〜７に基いて、その発明の属する技術の分野における通常の知識を有する者（以下、「当業者」という。）が容易に発明をすることができたものであるから、特許法第２９条第２項の規定により特許を受けることができない。
引用文献等一覧
１.特公平６−９１８６２号公報
２.特公平１−１３６６０号公報
３.特開２００１−３４０２１６号公報
４.特開２００７−５００３９号公報
５.特開２００２−２０２４９９号公報
６.特開２００２−２１５０７８号公報
７.特開平７−２２２６７５号公報
第３　審判請求時の補正について
　審判請求時の補正は、補正前の請求項１を削除し、補正前の請求項２〜９を補正後の請求項１〜８とするものであるから、係る補正は、請求項の削除を目的とするものである。
　よって、審判請求時の補正は、特許法第１７条の２第３項から第５項までの要件を満たすものである。
第４　本願発明
  本願請求項１〜８に係る発明（以下、それぞれ「本願発明１」〜「本願発明８」という。）は、平成３１年１月１８日の手続補正で補正された特許請求の範囲の請求項１〜８に記載された事項により特定される発明であり、以下のとおりの発明である。
　「【請求項１】
　調理器本体と、
　前記調理器本体による調理残り時間をセグメントで表示するセグメント表示部を有する表示部と、
　前記調理残り時間を前記セグメント表示部に表示させる制御部と、を備え、
　前記セグメント表示部は、セグメントで二桁の数字を表示するものであり、
　前記制御部は、
　前記調理残り時間が１００分以上であるか否かを判定する判定手段と、
　前記判定手段において前記調理残り時間が１００分以上と判定された場合、該調理残り時間を分単位から時間単位に換算し、前記判定手段において前記調理残り時間が１００分未満と判定された場合、該調理残り時間を分単位のままとする換算手段と、
　前記判定手段において前記調理残り時間が１００分以上と判定された場合、前記換算手段において時間単位に換算された前記調理残り時間を、最大二桁で前記セグメント表示部に表示させ、前記判定手段において前記調理残り時間が１００分未満と判定された場合、
前記調理残り時間を分単位のまま、最大二桁で前記セグメント表示部に表示させる時間表示手段と、を有し、
　前記換算手段は、
　前記調理残り時間から１を減算した値を６０で除算し、更に１を加算して、前記調理残り時間を分単位から時間単位に換算するものである
　加熱調理器。
　　【請求項２】
　前記制御部は、
　前記調理器本体による前記調理残り時間を算出する算出手段を有する請求項１記載の加熱調理器。
　　【請求項３】
　前記表示部は、
　前記セグメント表示部の１０の位側に設けられ、時刻のうち時桁をセグメントで表示する時桁セグメント表示部を有し、
　前記制御部は、
　時刻のうち分桁を前記セグメント表示部に表示させて、前記時桁セグメント表示部及び該セグメント表示部で時刻を表示させるものであり、
　前記表示部は、
　前記時桁セグメント表示部と前記セグメント表示部との間に約という文字を表示する約表示部を有する請求項１又は２記載の加熱調理器。
　　【請求項４】
　前記セグメント表示部に表示される前記調理残り時間が時間単位から分単位に変更される際に、変更された旨を報知する報知部を備える請求項１〜３のいずれか１項に記載の加熱調理器。
　　【請求項５】
　前記調理器本体は、炊飯機能を有し、
　前記時間表示手段は、
　前記調理器本体による調理が蒸らし工程に移行した後、炊飯量にかかわらず、前記セグメント表示部に表示される前記調理残り時間が減少する間隔を一定にするものである請求項１〜４のいずれか１項に記載の加熱調理器。
　　【請求項６】
　前記時間表示手段は、
　前記調理器本体の調理が開始されてから所定の時間が経過した後、前記セグメント表示部に表示された前記調理残り時間の表示を消去するものである請求項１〜５のいずれか１項に記載の加熱調理器。
　　【請求項７】
　前記調理残り時間を前記セグメント表示部に表示させることを前記制御部に指示する表示操作部を備え、
　前記時間表示手段は、
　前記表示操作部が操作されたときに、前記調理残り時間を前記セグメント表示部に表示させるものである請求項１〜６のいずれか１項に記載の加熱調理器。
　　【請求項８】
　前記調理器本体に近付く人を検出する人検出部を備え、
　前記時間表示手段は、
　前記人検出部において前記調理器本体に人が近付いたことが検出された場合、前記調理残り時間を前記セグメント表示部に表示させるものである請求項１〜７のいずれか１項に記載の加熱調理器。」
第５　引用文献、引用発明等
１．引用文献１について
（１）原査定の拒絶の理由に引用された引用文献１には、「炊飯器」に関して図面とともに次の事項が記載されている（下線は、参考のため当審で付した。以下同様である。）。
　「発明が解決しようとする課題
このような従来の炊飯器の構成において、タイマー手段32で計時する所定時間の単位を例えば１分のように細かい単位で行うと第７図で示す表示手段34が構成されるが、使用するセグメントの数が多いので表示手段34の小型化に限界があった。また今度はタイマー手段32で計時する所定時間の単位を例えば30分のようなおおまかな単位で行うとすると第８図のように表示手段34は構成され、この表示手段34であれば使用するセグメントの数が第７図の場合に比べて少なくなるので比較的小さな表示手段が構成を得ることができる。しかし、炊飯が所定時間に開始になり炊飯動作中に炊飯が終了するまでの時間を知りたくてもおおまかな時間単位で計時を行っているので理解しにくいという課題があった。
本発明は上記課題に鑑み、表示手段の小型化を図りつつ細かな時間表示を行うことを目的とする。
課題を解決するための手段
本発明は上記目的を達成するために、炊飯が終了するまでの時間を設定する時間設定手段と、この時間設定手段により設定された炊飯が終了するまでの時間を計時してゆくタイマー手段Ａと、このタイマー手段Ａよりも細かい時間単位で炊飯が終了するまでの時間を計時してゆくタイマー手段Ｂと、前記タイマー手段Ａ及び前記タイマー手段Ｂにより計時されてゆく炊飯が終了するまでの時間を記憶する記憶手段と、この記憶されている時間データの値により前記タイマー手段Ａもしくは前記タイマー手段Ｂを選択するタイマー選択手段と、前記タイマー手段Ａ及び前記タイマー手段Ｂにより計時された炊飯が終了するまでの時間がある所定の時間になると炊飯を開始する炊飯手段と、前記記憶手段に記憶されている
炊飯が終了するまでの時間を表示する表示手段
　「第２図は本発明の一実施例における炊飯器の具体的な回路図である。この図において、10は炊飯が終了するまでの時間を設定する時間設定スイッチで、11はタイマー動作を開始する開始スイッチである。12は炊飯加熱を行う炊飯ヒーター、13は炊飯ヒーター12を通電させるトライアックで、このトライアック13のゲートパルスは14のフォト・トライアックにより制御され、フォト・トライアック14は15のトランジスタにより制御される。炊飯ヒーター12とトライアック13により炊飯手段６を構成している。16は液晶表示素子で、表示手段７の具体例である。
17はマイクロコンピュータで、時間設定スイッチ10と開始スイッチ11の信号を入力し、トランジスタ15に制御信号を出力し、液晶表示素子16に表示信号を出力する。
　「表示手段である液晶表示素子16の構成を第８図に示す。す
なわち、１時間以上の残り時間であれば第８図（ａ）のように30分単位の表示を行い、１時間未満の残り時間であれば第８図（ｂ）のように１分単位の表示を行うもので、１つの小型表示手段で２通りの表示機能を持つ炊飯器を構成することができる。
なお、本実施例では、表示手段に液晶表示素子を用いたが、
７セグメントLEDと文字表示を組み合せたものでもよく、
１時間単位としてもよく、この場合、表示手段は２つの数字表示部で表示可能であるため、更に表示手段の小型化が可能となる。
　「【図面の簡単な説明】
第１図は本発明の一実施例の炊飯器のブロック図、第２図は同炊飯器の具体的な回路図、
第３図は同炊飯器のマイクロコンピュータの流れ図、第４図は同炊飯器の表示手段の正面図、
１……時間設定手段、２……記憶手段、３……タイマー手段Ａ、４……タイマー手段Ｂ、５……タイマー選択手段、６……炊飯手段、７……表示手段。」（第６欄第１０〜２２行目）
　「
 」
　「
」
（２）上記（１）の記載された事項及び図面を総合し、表示手段に７セグメントLEDと文字表示とを組み合わせ、タイマー手段を１時間単位としたものについて着目すると、引用文献１には、次の発明（以下、「引用発明」という。）が記載されていると認められる。
　「炊飯が終了するまでの時間を７セグメントLEDと文字表示とを組み合わせて表示する表示手段と、
表示手段に表示信号を出力するマイクロコンピュータと、を備え、
表示手段は２つの数字表示部で表示可能であり、
表示手段は、炊飯が終了するまでの時間が１時間以上であれば１時間単位の表示を行い、１時間未満であれば１分単位の表示を行う２通りの表示機能を持つ、炊飯器。」
２．引用文献２について
（１）原査定の拒絶の理由に引用された上記引用文献２には、「時間表示装置」に関して次の事項が記載されている。
  「１　外部スイッチで設定した運転時間をマイクロコンピュータの運転時間記憶メモリに、下４ビットは１０進数で、上４ビットは１６進数で夫々記憶し、運転中この記憶時間から運転済み時間を減算して残り時間の記憶内容を運転時間表示用メモリに転送して記憶させ、
当該残り時間の記憶内容を２桁の表示装置で表示するものであって、前記残り時間の記憶内容が９９分以内の場合はその記憶をそのまま運転時間表示用メモリに転送して時間表示を行なうと共に、オーバー表示装置を消灯し、１００分以上の場合は運転時間表示用メモリが上下各４ビットの一方若しくは双方を１６進数で記憶して“９９”の数字表示を行なうと共に、１６進数で記憶した時にはオーバー表示装置を点灯することを特徴とした時間表示装置。
　「図面の簡単な説明
　第１図は本発明時間表示装置を備えた衣類乾燥機の正面図、
第２図は時間表示部分を拡大した図
　３…コイン投入部、１７，１８…コインスイッチ（外部スイッチ）、１３…マイクロコンピュータ、５…時間表示装置、
２０…運転時間表示用螢光管、２１…オーバー表示用螢光管
　「
 」
（２）上記（１）の記載された事項及び図面を総合し、引用文献２には、次の技術的事項（以下、「引用文献２記載の技術的事項」という。）が記載されていると認められる。
  
  「運転時間の残り時間を２桁の表示装置で表示するものであって、残り時間が９９分以内の場合はそのまま時間表示を行なうと共に、オーバー表示装置を消灯し、１００分以上の場合は“９９”の数字表示を行なうと共に、オーバー表示装置を点灯する時間表示装置。」
３．引用文献３について
（１）原査定の拒絶理由に引用された上記引用文献３には、「炊飯器」に関して次の事項が記載されている。
　「【００７０】ついで、ステップＳ９６で、前記ステップＳ９４で算出した炊き上がり時刻から現時刻を減算することにより、炊き上がりまでの時間を演算した後、ステップＳ９７で、算出した炊き上がりまでの時間を表示する。本実施形態では、
この炊き上がりまでの時間を１時間単位でデクリメント（減少）するように構成している。
　「【図面の簡単な説明】
…
【図６】  （Ａ）は図５のステップＳ２７での液晶表示の設定画面、（Ｂ）は図５のステップＳ３１での液晶表示の設定画面を示す正面図である。
…
【符号の説明】
１…圧力炊飯器、２…内鍋、３…本体、６…誘導加熱コイル、７…内鍋用温度センサ、８…蓋体、１１…内蓋、１２…蓋体用温度センサ、１３…圧力センサ、１４…調圧器、１５…マイコン、２０…操作パネル、２１…液晶表示、２２〜３６…表示部、３７〜４３…スイッチの操作部。」
　「
」
（２）上記（１）の記載された事項及び図面を総合し、引用文献３には、次の技術的事項（以下、「引用文献３記載の技術的事項」という。）が記載されていると認められる。
　「炊き上がりまでの時間を、液晶表示の設定画面の分桁の位置で１時間単位で表示すること。」
４．引用文献４について
（１）原査定の拒絶理由に引用された上記引用文献４には、「電気炊飯器」に関して次の事項が記載されている。
　「【００４８】
　そして、同状態で、炊飯スイッチ２６ａの操作面２２ａがＯＮ操作されると、炊飯動作を開始し、白米・極うまで炊飯中であること、現在時刻は１８：３０、炊き上りまで残り
約３０分
　「【図面の簡単な説明】
【００８４】
…
【図７】標準コースで、白米メニュー／極うま炊き分けを選択した時の待機状態から、炊飯、炊飯終了後の保温中までの表示内容の変化を示す図である。
…」
　「
」
（２）上記（１）の記載された事項から、引用文献４には、次の技術的事項（以下、「引用文献４記載の技術的事項」という。）が記載されていると認められる。
　「約という文字を表示する表示部を備えること。」
５．引用文献５について
（１）原査定の拒絶理由に引用された上記引用文献５には、「LCD表示装置及びLCD表示装置を備えた調理器」に関して、次の事項が記載されている。
　「【００４３】
むらしに切り替えるときには、制御手段91が音声報知手段93を利用してブザーやメロディーなどで報知を行ない
この残時間は、例えば分単位で表示され、この分表示が１分ずつ減じていくものである。
（２）上記（１）の記載された事項から、引用文献５には、次の技術的事項（以下、「引用文献５記載の技術的事項」という。）が記載されていると認められる。
　「調理器において、制御手段が音声報知手段を利用して報知を行うこと及び分単位で残り時間を表示すること。」
６．引用文献６について
（１）原査定の拒絶理由に引用された上記引用文献６には、「家電機器」に関して次の事項が記載されている。
  「【００２３】表示切替スイッチ42は、これを押して操作すると、発光素子35による表示を消灯または点灯に切替え可能にする表示切替手段に相当するものである。また、この表示切替スイッチ42の操作とは別に、
予約スイッチ46，炊飯スイッチ45または保温スイッチ44を最後に押してから所定時間（例えば、炊飯スイッチ45を押して通常の炊飯を開始してから５分後、または予約スイッチ46や保温スイッチ44を押してタイマー動作や保温を開始してから30分後）が経過し、再操作の必要がなくなったら、操作した設定状況や動作状況（炊飯，保温，タイマー動作など）の発光素子35による表示を消灯にし、
（２）上記（１）の記載された事項から、引用文献６には、次の技術的事項（以下、「引用文献６記載の技術的事項」という。）が記載されていると認められる。
　「炊飯を開始してから所定時間が経過した後に操作した設定状態や動作状態（炊飯、保温、タイマー動作など）の発光素子による表示を消灯する。」
７．引用文献７について
（１）原査定の拒絶理由に引用された上記引用文献７には、次の事項が記載されている。
　「【００２５】次に本発明の第六の手段の実施例について、図６を参照しながら説明する。本実施例では、
炊飯器本体１０に設けた赤外線センサ８で、人が近くにいるかどうかを検出するようにしているものである。赤外線センサ８の情報は制御装置４に伝達しており、制御装置４はこの情報に基づいて駆動装置３を作用させて、バックライト２をオン・オフしているものである。
（２）上記（１）の記載された事項から、引用文献７には、次の技術的事項（以下、「引用文献７記載の技術的事項」という。）が記載されていると認められる。
　「人が近くにいるかどうかの情報に基づいてバックライトをオン・オフさせること。」
第６　原査定についての判断
１．本願発明１について
（１）対比
　本願発明１と引用発明とを対比する。
　引用発明における「炊飯器」、「表示手段」、「マイクロコンピュータ」は、各文言の意味、機能又は作用等からみて、それぞれ本願発明１における「加熱調理器」、「表示部」、「制御部」に相当する。
　そして、引用発明の「炊飯器」が炊飯することは調理することであり、引用発明は本願発明１の調理器本体を有するものといえる。
　また、引用発明の「炊飯器」による「炊飯が終了するまでの時間」は、炊飯が終了することは、調理が終了することであるので、本願発明１の「前記調理器本体による調理残り時間」に相当する。
　引用発明の「７セグメントLEDと文字表示とを組み合わせて表示する表示手段」は、本願発明１の「セグメントで表示するセグメント表示部」に相当する。
　引用発明の「表示信号を出力するマイクロコンピュータ」は、「表示」内容が「炊飯が終了するまでの時間」であること、「表示信号」が表示部の表示をおこなう信号であることから、本願発明１の「前記調理残り時間を前記セグメント表示部に表示させる制御部」に相当する。
　引用発明の「２つの数字表示部で表示可能」な「表示手段」は、「１時間単位の表示」、「１分単位の表示」を「２つの数字表示部」で表示するものであるから、表示部は２桁の表示を行うものである。したがって、引用発明の「表示手段」は本願発明１の「セグメント表示部は、セグメントで二桁の数字を表示するもの」及び「最大二桁で前記セグメント表示部に表示させる」ものに相当する。
　さらに、引用発明は、「炊飯が終了するまでの時間が１時間以上であれば１時間単位の表示を行い、１時間未満であれば１分単位の表示を行う」ため、調理の残り時間が１時間以上かどうかを判定しており、引用発明の「マイクロコンピュータ」が判定手段を備えていることは明らかである。そうすると、引用発明の「炊飯が終了するまでの時間が１時間以上であれば１時間単位の表示を行い、１時間未満であれば１分単位の表示を行う」「マイクロコンピュータ」と、本願発明１の「前記調理残り時間が１００分以上であるか否かを判定する判定手段」とは、「調理残り時間が所定時間以上であるか否かを判定する判定手段」との限りで一致する。
　また、引用発明の「表示手段」は「炊飯が終了するまでの時間」について「２通りの表示機能を持つ」ものであり、引用発明の「マイクロコンピュータ」が制御時間を表示させることは、明らかであるので、引用発明の「マイクロコンピュータ」が本願発明１の「前記セグメント表示部に表示させる時間表示手段」を備えていることは明らかである。
　したがって、両者の一致点及び相違点は以下のとおりである。
　【一致点】
　調理器本体と、前記調理器本体による調理残り時間をセグメントで表示するセグメント表示部を有する表示部と、前記調理残り時間を前記セグメント表示部に表示させる制御部と、を備え、前記セグメント表示部は、セグメントで二桁の数字を表示するものであり、制御部は、調理残り時間が所定時間以上であるか否かを判定する判定手段と、最大二桁で前記セグメント表示部に表示させる時間表示手段とを有している加熱調理器。
　【相違点】
　本願発明１は、「所定時間」を「１００分」とし、「前記判定手段において前記調理残り時間が１００分以上と判定された場合、該調理残り時間を分単位から時間単位に換算し、前記判定手段において前記調理残り時間が１００分未満と判定された場合、該調理残り時間を分単位のままとする換算手段」を備え、「前記換算手段は、前記調理残り時間から１を減算した値を６０で除算し、更に１を加算して、前記調理残り時間を分単位から時間単位に換算するものであ」り、「前記判定手段において前記調理残り時間が１００分以上と判定された場合、前記換算手段において時間単位に換算された前記調理残り時間を」表示し、「前記判定手段において前記調理残り時間が１００分未満と判定された場合、前記調理残り時間を分単位のまま、表示しているのに対し、引用発明は、「所定時間」を「１時間」として、「１時間以上であれば１時間単位の表示を行い、１時間未満であれば１分単位の表示を行」っている点。
（２）相違点についての判断
ア　引用発明は、「１時間以上であれば１時間単位の表示を行い、１時間未満であれば１分単位の表示を行」うものであるが、そのための手段として、引用文献１には、タイマー手段Ａとタイマー手段Ａよりも細かな時間単位で計時するタイマー手段Ｂのいずれかを選択することのみが記載されていることから、「調理残り時間」を表示する際に、「分単位」と「時間単位」とで換算することは何ら考慮されていない。また、引用文献２記載の技術的事項は、「運転時間の残り時間を２桁の表示装置で表示するものであって、残り時間が９９分以内の場合はそのまま時間表示を行なうと共に、オーバー表示装置を消灯し、１００分以上の場合は“９９”の数字表示を行なうと共に、オーバー表示装置を点灯する時間表示装置。」である。
　しかしながら、引用文献２記載の技術的事項は、１００分以上である場合、時間単位の表示をしておらず、「１００分以上の場合は“９９”の数字表示を行なうと共に、オーバー表示装置を点灯する」のみであって、「調理残り時間を分単位から時間単位に換算」するものではないので、引用発明に引用文献２記載の技術的事項を適用しても、相違点に係る本願発明１の構成を導くことはできない。
　よって、引用発明及び引用文献２記載の技術的事項を適用して、相違点に係る本願発明１の発明特定事項とすることは当業者が容易に想到し得たとはいえない。
イ　以上のとおりであるから、本願発明１は引用発明及び引用文献２記載の技術的事項に基いて当業者が容易に発明することができたものではない。
２．本願発明２〜８について
　本願の特許請求の範囲における請求項２〜８は、請求項１の記載を他の記載に置き換えることなく直接又は間接的に引用して記載したものであるから、本願発明２〜８は、本願発明１の発明特定事項を全て含むものである。
　したがって、本願発明２〜８は、本願発明１と同様の理由で、引用発明及び引用文献２記載の発明特定事項に基づいて当業者が容易に発明することができたものではない。
第６　むすび
　以上のとおり、原査定の理由によっては、本願を拒絶することはできない。
　また、他に本願を拒絶すべき理由を発見しない。
　よって、結論のとおり審決する。